(57)【要約】【課題】通信トラフィックの低減を図ることができる中継装置および通信システムを提供する。【解決手段】中継装置１は、第１の伝送路２１と第２の伝送路２２との間に接続され第２の通信信号を中継する信号中継部１０と、記憶部１５と、信号中継部１０における第２の通信信号の中継機能の有効・無効を切り替える中継制御部１６とを備えている。記憶部１５には、第２通信端末５の各々について信号中継部１０から見て第１の伝送路２１と第２の伝送路２２とのどちら側に接続されているかを表す端末情報が、予め記憶されている。中継制御部１６は、信号中継部１０に中継元から入力された第２の通信信号の送信先と記憶部１５に記憶された端末情報とに基づいて、第２の通信信号の中継の要否を判断し、中継の要否の判断結果に応じて信号中継部１０の中継機能の有効・無効を切り替える。【選択図】図１
2012094962.tif 000002
【特許請求の範囲】
【請求項１】
第１の通信信号を通過させる第１の中継器を介して第１の伝送路と第２の伝送路とが接続されており、前記伝送路を伝送される前記第１の通信信号により第１通信端末間で通信が行われるとともに、前記第１の通信信号に重畳される第２の通信信号により第２通信端末間で通信が行われる通信システムに用いられる中継装置であって、
前記第１の伝送路と前記第２の伝送路との間に接続され前記第１の伝送路と前記第２の伝送路とのうち中継元となる一の前記伝送路から中継先となる他の前記伝送路へ前記第２の通信信号を中継する信号中継部と、
前記第２通信端末の各々について前記信号中継部から見て前記第１の伝送路と前記第２の伝送路とのどちら側に接続されているかを表す端末情報を記憶する記憶部と、
前記信号中継部に前記中継元から入力された前記第２の通信信号の送信先および前記端末情報に基づいて、前記信号中継部における前記第２の通信信号の中継機能の有効・無効を切り替える中継制御部とを備え、
前記中継制御部は、前記中継先となる前記伝送路側に接続された前記第２通信端末が前記送信先に含まれていれば前記中継機能を有効にし、前記中継先となる前記伝送路側に接続された前記第２通信端末が前記送信先に含まれていなければ前記中継機能を無効にすることを特徴とする中継装置。
【請求項２】
前記第２通信端末は複数台あって当該複数台のうち一部が親機で残りが子機となり、前記第２の通信信号は、ポーリング方式によって前記親機から複数台の前記子機に対して順次送信されることを特徴とする請求項１に記載の中継装置。
【請求項３】
前記伝送路に接続された前記第２通信端末の前記端末情報を当該第２通信端末から前記伝送路を介して通信により収集する情報収集部をさらに備え、前記記憶部には、前記情報収集部で収集された前記端末情報が記憶されることを特徴とする請求項１または請求項２に記載の中継装置。
【請求項４】
前記情報収集部は、前記信号中継部の起動時に前記端末情報を自動的に収集することを特徴とする請求項３に記載の中継装置。
【請求項５】
前記第１の通信信号は、前記伝送路に接続された伝送ユニットから周期的に送信される時分割方式の伝送信号であって、送信先の前記第１通信端末からの返信を受け付ける返送期間を含んでおり、前記伝送ユニットは、前記第１通信端末から割込信号を受けると当該第１通信端末を送信先として前記伝送信号を送信し、
前記第２通信端末は、前記伝送信号ごとに定められている通信適合期間に前記第２の通信信号を重畳させ、
前記情報収集部は、前記信号中継部の起動時には、前記伝送ユニットに割込信号を送信することにより前記伝送信号における前記返送期間を前記通信適合期間として使用可能とし、当該返送期間に前記第２通信端末からの前記第２の通信信号を受けて前記端末情報を収集することを特徴とする請求項４に記載の中継装置。
【請求項６】
請求項３ないし請求項５のいずれか１項に記載の中継装置を複数台用いて前記伝送路が拡張された通信システムであって、各中継装置の前記情報収集部は、それぞれ前記伝送路を介して接続された他の中継装置が収集した前記端末情報を当該他の中継装置から取得することを特徴とする通信システム。
【発明の詳細な説明】
【技術分野】
【０００１】
本発明は、第１の通信信号と第１の通信信号に重畳される第２の通信信号とを用いて通信が行われる通信システムに用いられる中継装置および通信システムに関する。
【背景技術】
【０００２】
従来から、伝送路に対して伝送ユニット（親機）および複数台の通信端末（子機）が接続され、各通信端末と伝送ユニットとの間で通信を行う通信システムが広く普及している。この種の通信システムの一例として、伝送ユニットが定期的に通信端末の状態を監視し、通信端末の状態に変化があった場合、その状態変化に対応する処理を行うように伝送ユニットから他の通信端末に信号を送るシステムがある（たとえば特許文献１〜３参照）。
【０００３】
ただし、上記構成の通信システムは、通信端末同士が常に伝送ユニットを経由して通信を行い、伝送ユニットが通信端末に対してポーリングを行うため通信速度が遅く、たとえばアナログ量のように比較的データ量の多い情報の伝送には不向きである。さらに、上記通信システムは、伝送ユニットの故障時などにシステム全体が停止してしまうため、システムとしての信頼性が低いという問題もある。
【０００４】
そこで、伝送ユニットを介して通信端末同士が通信を行う既設の通信システムと、通信端末同士がピア・ツー・ピア（Ｐ２Ｐ）で直接通信を行う通信システムとを混在させた通信システムが提案されている。この通信システムにおいては、伝送ユニットを介して通信する第１通信端末と、互いに直接通信する第２通信端末とが伝送路を共用するので、既設の通信システムに第２通信端末を容易に増設することができる。第１通信端末は第１の通信信号（第１プロトコルの信号）を用いて通信を行い、第２通信端末は第１の通信信号に重畳される第２の通信信号（第２プロトコルの信号）を用いて通信を行う。
【０００５】
ところで、一般的な通信システムにおいては、伝送路長を延長する場合や伝送路に接続される端末の台数が増加する場合に、複数に分割された伝送路間に介在する形で中継器が設けられることがある。すなわち、第１の伝送路と第２の伝送路とが中継器を介して接続されることにより、中継器は、一方の伝送路上から入力された信号を他方の伝送路へ中継する。
【０００６】
第１および第２の通信信号を用いる通信システムでは、第１の通信信号を中継する第１の中継器に加えて、第２の通信信号を中継する中継装置を第１の中継器と並列に接続することにより、第１および第２の通信信号を中継可能となる（たとえば特許文献４参照）。この中継装置は、一方の伝送路上で第１の通信信号に重畳された第２の通信信号を他方の伝送路上の第１の通信信号に重畳させることにより、第２の通信信号を中継する。
【先行技術文献】
【特許文献】
【０００７】
【特許文献１】特許第１１８０６９０号公報
【特許文献２】特許第１１９５３６２号公報
【特許文献３】特許第１１４４４７７号公報
【特許文献４】特開２００９−２２５３２８号公報
【発明の概要】
【発明が解決しようとする課題】
【０００８】
しかし、特許文献４記載の中継装置では、一方の伝送路上で第１の通信信号に重畳された第２の通信信号は、全て他方の伝送路へ中継されることになるため、中継先の伝送路では使用されない不要な第２の通信信号まで中継されることになる。したがって、通信システムに上記中継装置が用いられた場合、伝送路上の通信トラフィックが増大し、通信の遅延やパケットロスにつながる可能性がある。
【０００９】
本発明は上記事由に鑑みて為されており、通信トラフィックの低減を図ることができる中継装置および通信システムを提供することを目的とする。
【課題を解決するための手段】
【００１０】
本発明の中継装置は、第１の通信信号を通過させる第１の中継器を介して第１の伝送路と第２の伝送路とが接続されており、伝送路を伝送される第１の通信信号により第１通信端末間で通信が行われるとともに、第１の通信信号に重畳される第２の通信信号により第２通信端末間で通信が行われる通信システムに用いられる中継装置であって、第１の伝送路と第２の伝送路との間に接続され第１の伝送路と第２の伝送路とのうち中継元となる一の伝送路から中継先となる他の伝送路へ第２の通信信号を中継する信号中継部と、第２通信端末の各々について信号中継部から見て第１の伝送路と第２の伝送路とのどちら側に接続されているかを表す端末情報を記憶する記憶部と、信号中継部に中継元から入力された第２の通信信号の送信先および端末情報に基づいて、信号中継部における第２の通信信号の中継機能の有効・無効を切り替える中継制御部とを備え、中継制御部は、中継先となる伝送路側に接続された第２通信端末が送信先に含まれていれば中継機能を有効にし、中継先となる伝送路側に接続された第２通信端末が送信先に含まれていなければ中継機能を無効にすることを特徴とする。
【００１１】
この中継装置において、第２通信端末は複数台あって当該複数台のうち一部が親機で残りが子機となり、第２の通信信号は、ポーリング方式によって親機から複数台の子機に対して順次送信されることが望ましい。
【００１２】
この中継装置において、伝送路に接続された第２通信端末の端末情報を当該第２通信端末から伝送路を介して通信により収集する情報収集部をさらに備え、記憶部には、情報収集部で収集された端末情報が記憶されることがより望ましい。
【００１３】
この中継装置において、情報収集部は、信号中継部の起動時に端末情報を自動的に収集することがより望ましい。
【００１４】
この中継装置において、第１の通信信号は、伝送路に接続された伝送ユニットから周期的に送信される時分割方式の伝送信号であって、送信先の第１通信端末からの返信を受け付ける返送期間を含んでおり、伝送ユニットは、第１通信端末から割込信号を受けると当該第１通信端末を送信先として伝送信号を送信し、第２通信端末は、伝送信号ごとに定められている通信適合期間に第２の通信信号を重畳させ、情報収集部は、信号中継部の起動時には、伝送ユニットに割込信号を送信することにより伝送信号における返送期間を通信適合期間として使用可能とし、当該返送期間に第２通信端末からの第２の通信信号を受けて端末情報を収集することがより望ましい。
【００１５】
本発明の通信システムは、中継装置を複数台用いて伝送路が拡張された通信システムであって、各中継装置の情報収集部は、それぞれ伝送路を介して接続された他の中継装置が収集した端末情報を当該他の中継装置から取得することを特徴とする。
【発明の効果】
【００１６】
本発明は、第１の通信信号に重畳された第２の通信信号を中継しながらも、中継先の伝送路では不要な第２の通信信号については中継しないので、通信トラフィックの低減を図ることができるという利点がある。
【図面の簡単な説明】
【００１７】
【図１】実施形態１の構成を示し、（ａ）は通信システムの概略システム構成図、（ｂ）は中継装置の概略ブロック図である。
【図２】同上の中継装置が用いられる通信システムの概略システム構成図である。
【図３】同上で用いられる伝送信号の形式の説明図である。
【図４】同上の通信システムの他の構成を示す概略システム構成図である。
【図５】実施形態２の中継装置の構成を示す概略ブロック図である。
【図６】同上で用いられる信号を示す説明図である。
【図７】同上の他の例で用いられる信号を示す説明図である。
【図８】同上の動作を示すフローチャートである。
【発明を実施するための形態】
【００１８】
まず、以下の各実施形態に係る中継装置を用いる通信システムの基本構成について説明する。下記実施形態の通信システムは、図２に示すように、２線式の伝送路２に接続される伝送ユニット３を備えた通信システムである。
【００１９】
この通信システムは、伝送路２に接続され伝送ユニット３と通信する複数台（図示例では２台）の第１通信端末４と、伝送路２に接続され互いに直接通信する複数台（図示例では２台）の第２通信端末５とを備えている。この通信システムでは、伝送路２を伝送される第１の通信信号（第１プロトコルの信号）と、第１の通信信号に重畳される第２の通信信号（第２プロトコルの信号）とを用いて通信が行われる。第２の通信信号は、第１の通信信号より周波数が高い。なお、伝送ユニット３および第１通信端末４の各々と伝送路２との間には、第２の通信信号に対して高インピーダンスとなるインピーダンス整合モジュール６（図１（ａ）参照）がそれぞれ挿入されている。
【００２０】
複数台の第１通信端末４は、伝送ユニット３に対して伝送路２を介して並列接続されている。伝送ユニット３および第１通信端末４は、伝送ユニット３から第１通信端末４へのデータ伝送と第１通信端末４から伝送ユニット３へのデータ伝送とが時分割で行われる時分割多重伝送システム（以下、「基本システム」という）を構築する。
【００２１】
基本システムにおいて、第１通信端末４は、スイッチやセンサなど（図示せず）を付設した監視端末器と、負荷（図示せず）を付設した制御端末器との２種類に分類される。これにより、監視端末器に付設したスイッチやセンサなどからの監視入力に応じて、制御端末器に付設した負荷を制御することが可能となる。ここで、第１通信端末４は予め割り当てられた自己のアドレスをそれぞれ記憶部（図示せず）に記憶している。
【００２２】
監視端末器は、監視入力を受けると伝送ユニット３に対して監視入力に対応した制御情報を伝送する。伝送ユニット３は、制御情報を受け取るとアドレスによって上記監視端末器と対応付けられている制御端末器に向けて制御情報を伝送する。制御端末器は、制御情報を受け取ると上記制御情報に従って負荷を制御する。制御情報はスイッチ等の監視入力を反映しているから、結局、スイッチ等の監視入力が負荷の制御に反映されることになる。
【００２３】
続いて、基本システムの動作について説明する。
【００２４】
伝送ユニット３は、伝送路２に対して図３に示すような形式の電圧波形からなる伝送信号（第１の通信信号）を送信する。すなわち、伝送信号は、予備割込期間３１と、予備期間３２と、送信期間３３と、返送期間３４と、割込期間３５と、短絡検出期間３６と、休止期間３７とからなる複極（±２４Ｖ）の時分割多重信号である。予備割込期間３１は２次割込を検出するための期間、予備期間３２は割込期間３５および短絡検出期間３６に合わせて設定された期間であり、送信期間３３は第１通信端末４にデータを伝送するための期間である。返送期間３４は第１通信端末４からの返送信号を受信するタイムスロットであり、割込期間３５は後述の割込信号を検出するための期間であり、短絡検出期間３６は短絡を検出するための期間である。休止期間３７は処理が間に合わないときのための期間である。伝送信号は、パルス列からなるキャリアをパルス幅変調することによってデータを伝送する信号である。
【００２５】
各第１通信端末４では、伝送路２を介して受信した伝送信号の送信期間３３に含まれるアドレスデータが各々の記憶部（図示せず）に記憶されているアドレスに一致すると、伝送信号から負荷を制御するための制御情報を取り込む。さらに、第１通信端末４は、伝送信号の返送期間３４に同期して制御情報を電流モードの信号（適当な低インピーダンスを介して伝送路２を短絡することにより送出される信号）として返送する。なお、第１通信端末４の内部回路の電源は、伝送路２を介して伝送される伝送信号を整流し安定化することによって供給される。
【００２６】
伝送ユニット３は、常時は伝送信号に含まれるアドレスデータをサイクリックに変化させて第１通信端末４に順次アクセスする常時ポーリングを行う。常時ポーリングの際には、伝送信号に含まれるアドレスデータが自己のアドレスに一致した第１通信端末４は、伝送信号に制御情報が含まれていれば制御情報を取り込んで動作し、自己の動作状態を伝送ユニット３に返送する。
【００２７】
また、伝送ユニット３は、いずれかの監視端末器（第１通信端末４）においてスイッチ等の監視入力に対応して発生する割込信号を受信すると、割込信号を発生した第１通信端末４を検索し、その第１通信端末４にアクセスして割込ポーリングも行う。
【００２８】
すなわち、伝送ユニット３は、常時はモードデータを通常モードとした伝送信号を送出し、監視端末器（第１通信端末４）で発生した割込信号を伝送信号の割込期間３５に同期して検出すると、モードデータを割込ポーリングモードとした伝送信号を送出する。
【００２９】
割込信号を発生した第１通信端末４は、割込ポーリングモードの伝送信号のアドレスデータの上位ビットが自己のアドレスの上位ビットに一致していれば、その伝送信号の返送期間３４に同期して自己のアドレスの下位ビットを返送データとして返送する。これにより伝送ユニット３では割込信号を発生した第１通信端末４のアドレスを取得できる。
【００３０】
割込信号を発生した第１通信端末４のアドレスが伝送ユニット３で取得されると、伝送ユニット３は当該第１通信端末４に対して制御情報の返送を要求する伝送信号を送出し、第１通信端末４はスイッチ等の監視入力に対応した制御情報を伝送ユニット３に返送する。伝送ユニット３は制御情報を受け取ると、該当する第１通信端末４の監視入力をクリアするように指示を与え、当該第１通信端末４では監視入力のクリアを返送する。
【００３１】
制御情報を受け取った伝送ユニット３は、当該制御情報の発信元の第１通信端末（監視端末器）４とアドレスの対応関係によって対応付けられている第１通信端末（制御端末器）４へ送信する制御情報を生成する。伝送ユニット３は、この制御情報を含む伝送信号を伝送路２に送出して、第１通信端末（制御端末器）４に付設した負荷を制御する。
【００３２】
上述したように、基本システムでは、ポーリング・セレクティング方式のプロトコル（第１プロトコル）に従い、伝送ユニット３を介して第１通信端末（監視端末器、制御端末器）４同士が通信を行うこととなる。
【００３３】
ところで、上記通信システムでは、複数台の第２通信端末５が、上記基本システムと伝送路２を共用しつつ、第１プロトコルの伝送信号に重畳される第２の通信信号を用いて互いに通信を行う。一部の第２通信端末５には、第２通信端末５間で伝送される監視情報を出力する被監視機器８が接続され、他の第２通信端末５には、前記監視情報を第２通信端末５から取得する監視装置９が接続されている。被監視機器８や監視装置９は、定期的に通信を行うことによって第２通信端末５とデータの授受を行う。
【００３４】
すなわち、伝送路２を介した通信（データ伝送）を行うのは第２通信端末５であるが、伝送するデータ（監視情報）を生成するのは被監視機器８であって、受信したデータを処理するのは監視装置９である。ここに、第２通信端末５は、各々に接続された被監視機器８あるいは監視装置９からのデータを変換し伝送路２上に送出することで通信を行うアダプタとして機能する。なお、被監視機器８の一例としては基本システムで制御される照明器具の消費電力を計量する電力計測器があり、監視装置９の一例としては電力計測器で計量された消費電力を表示する検針装置がある。
【００３５】
第２通信端末５は、上述した第１プロトコルとは異なるプロトコル（第２プロトコル）に従って、伝送ユニット３を経由することなくピア・ツー・ピア（Ｐ２Ｐ）で伝送データ（監視情報）を他の第２通信端末５に直接伝送する。具体的には、第２通信端末５は、他の第２通信端末５に伝送すべきデータを含んだパケットを第２プロトコルに従って伝送路２に送出し、且つ他の第２通信端末５が送信した第２プロトコルのパケットを受信する。第２プロトコルのパケットは、伝送ユニット３から送出されている伝送信号に重畳される。要するに、第１プロトコルによる第１通信端末４同士の通信は伝送ユニット３を経由して行われるのに対し、第２プロトコルによる第２通信端末５同士の通信は伝送ユニット３を経由せず通信端末間で直接行われる。そのため、第２プロトコルによる通信は、第１プロトコルによる通信に比べて通信速度を高速化でき、たとえばアナログ量（電力量の計量値等）のように比較的データ量の多い情報の伝送に用いられる。
【００３６】
また、第２通信端末５は、基本システムの伝送ユニット３と第１通信端末４との間で伝送される第１プロトコルの伝送信号を監視し、この伝送信号から第１プロトコルのデータ伝送状況（以下、「ステート」という）を解析する。さらに、第２通信端末５は、ステートが第２プロトコルのパケットの伝送に適した状況にあるか否かを判定し、伝送に適していると判断したタイミングでパケットを送信する機能を具備している。
【００３７】
すなわち、基本システムで使用される第１プロトコルにおいては、パルス列からなるキャリアをパルス幅変調した伝送信号が用いられている。第２通信端末５は、この伝送信号に第２の通信信号を重畳するに当たっては、伝送信号がハイレベルあるいはローレベルに安定している通信適合期間に合わせて第２の通信信号を重畳する。
【００３８】
ここで、伝送信号は図３に示すような信号フォーマットを採用している。予備割込期間３１や予備期間３２や休止期間３７は、通信信号が重畳されても第１プロトコルの通信に影響がなく、重畳された通信信号も伝送信号の影響を受けにくいので、第２の通信信号を重畳するのに適した期間（以下、「通信適合期間」という）と考えられる。
【００３９】
その他の期間（送信期間３３と返送期間３４と割込期間３５と短絡検出期間３６）は、伝送信号がハイレベルあるいはローレベルに安定している時間が相対的に短く、通信信号が重畳されると第１プロトコルの通信に影響を与えやすい。また上記他の期間に通信信号が重畳されると、重畳された通信信号も伝送ユニット３と第１通信端末４との間で授受される信号（割込信号や返送データ）の影響を受けやすい。そのため、上記他の期間は第２の通信信号を重畳するのに適さない期間（以下、「通信不適合期間」という）と考えられる。また、伝送信号の立ち上がりおよび立ち下がりの期間も、高調波ノイズの影響や信号の電圧反転に伴う過渡応答の影響などにより通信不適合期間とみなすことができる。
【００４０】
そこで、第２通信端末５は伝送信号のステートを解析し、その解析結果（伝送信号のステート）に基づいて通信適合期間か通信不適合期間かの判定を行い、通信適合期間と判断したときに限って第２の通信信号を送出するように構成されている。第２通信端末５は、このように第１の通信信号に同期させるように伝送信号の通信適合期間にのみ第２の通信信号を重畳させることにより、共通の伝送路２を使用する第１プロトコルの通信と第２プロトコルの通信との干渉を回避する。
【００４１】
ここで、第２通信端末５は、送信データのデータ量が多く一度の通信適合期間内で送信しきれなかった場合には、当該通信適合期間の終了に合わせて通信を中断し、次回の通信適合期間に残りのデータを送信する。
【００４２】
なお、第２通信端末５の各部への電源供給は、基本システムの第１通信端末４と同様に伝送ユニット３から伝送路２を介して伝送される伝送信号を整流し安定化することによって供給される方式（集中給電方式）によって為される。ただし、この構成に限らず、第２通信端末５の各部への電源供給は、商用電源を整流し安定化することによって供給される方式（ローカル給電方式）で為されてもよい。
【００４３】
（実施形態１）
本実施形態の中継装置１は、図１（ａ）に示すように、上記構成の通信システムにおいて、伝送ユニット３が接続された第１の伝送路２１に対して第２の伝送路２２が付加された場合に、第１の伝送路２１と第２の伝送路２２との間に挿入される。以下では、各伝送路２１，２２を区別しないときにはこれらをまとめて伝送路２と呼ぶ。
【００４４】
図１（ａ）の例では、第２通信端末５１と第２通信端末５２とが第１の伝送路２１に接続され、第２通信端末５３と第２通信端末５４とが第２の伝送路２２に接続されている。第２通信端末５１と第２通信端末５３とには監視装置９がそれぞれ接続され、第２通信端末５２と第２通信端末５４とには被監視機器８がそれぞれ接続されている。以下では、各第２通信端末５１，５２，５３，５４を区別しないときにはこれらをまとめて第２通信端末５と呼ぶ。なお、図１（ａ）では第１通信端末の図示を省略している。
【００４５】
本実施形態においては、複数台の第２通信端末５のうち、監視装置９に接続された一部の第２通信端末５１，５３が親機として機能し、被監視機器８に接続された残りの第２通信端末５２，５４が子機として機能する。第１の伝送路２１には第２通信端末５２以外にも被監視機器８に接続された子機としての第２通信端末（図示せず）が接続され、第２の伝送路２２には第２通信端末５４以外にも被監視機器８に接続された子機としての第２通信端末（図示せず）が接続される。
【００４６】
第２の通信信号は、親機としての各第２通信端末５１，５３から、それぞれ対応する子機としての第２通信端末５２，５４に対してポーリング方式によって順次送信される。これにより、監視装置９は複数台の被監視機器８からの監視情報をポーリング方式によって順次収集することができる。
【００４７】
ここで、第１の伝送路２１と第２の伝送路２２との間には、第１プロトコルの伝送信号を中継するための第１の中継器７が挿入されており、本実施形態の中継装置１は第１の中継器７と並列に接続される。第１の中継器７は、伝送信号を増幅するアンプ（図示せず）および伝送信号を抽出するフィルタ（図示せず）を具備し、一方の伝送路２から入力される伝送信号に減衰や反射による波形の歪みが生じていても、伝送信号を整形して他方の伝送路２に中継する。第１の中継器７は、伝送路長を延長する場合や伝送路２に接続される通信端末の台数が増加して伝送ユニット３の給電応力が不足する場合などに用いられる。なお、第１の中継器７は、伝送信号の下流側となる伝送路（図１（ａ）では第２の伝送路２２）に対しては伝送ユニット３と同様に伝送信号を出力するので、伝送信号の下流側となる伝送路との間にはインピーダンス整合モジュール６が挿入されている。
【００４８】
ただし、第１の中継器７は第１プロトコルの伝送信号のみを通過させ、第２の通信信号（第２プロトコルの信号）は第１の中継器７を通過することはない。そこで、第１の伝送路２１と第２の伝送路２２との間で第２の通信信号を中継するためには、本実施形態の中継装置１が必要となる。
【００４９】
中継装置１は、図１（ｂ）に示すように、第１の中継器７と並列に接続され第１の伝送路２１と第２の伝送路２２との間で第２の通信信号を中継する信号中継部１０を備えている。
【００５０】
信号中継部１０は、一方の伝送路２を伝送される伝送信号から第２の通信信号を抽出する抽出部１１と、抽出された第２の通信信号の波形を整形する整形部１２と、波形整形後の第２の通信信号を他方の伝送路２に送出する重畳部１３とを備えている。さらに、中継装置１の信号中継部１０には、第２の通信信号の送出先（以下、「中継先」という）となる伝送路２を伝送される第１プロトコルの伝送信号を監視する監視部１４が設けられている。
【００５１】
ここで、整形部１２は、信号を増幅するアンプ（図示せず）や所定周波数の信号を通過させるフィルタ（図示せず）を具備し、伝送路長が長くなることで信号が減衰した場合や、反射によって信号の波形が歪んだ場合などに、信号波形の整形を行う。なお、整形部１２にはシュミット回路を設け、シュミット回路によりさらに波形整形を行うことが望ましい。
【００５２】
また、重畳部１３は、監視部１４によって監視される伝送信号を用いて中継先の伝送路２における第１プロトコルのデータ伝送状況（ステート）を解析するとともに、このステートが第２の通信信号の伝送に適した状況にあるか否かを判定する。重畳部１３は、第２の通信信号の伝送に適していると判断したタイミングで、中継先の伝送路２に第２の通信信号を送信する。重畳部１３が中継先の伝送路２に第２の通信信号を送出するタイミングは、伝送信号のうち所定の通信適合期間内に第２の通信信号が重畳されるように決定される。
【００５３】
ここにおいて、本実施形態の信号中継部１０は第１および第２のいずれの伝送路２を第２の通信信号の抽出元（以下、「中継元」という）とする場合でも、抽出した第２の通信信号を中継先の伝送路２に中継することができるように、以下の構成を採用している。
【００５４】
要するに、抽出部１１には、第１の伝送路２１上の伝送信号から第２の通信信号を抽出する第１抽出部１１１と、第２の伝送路２２上の伝送信号から第２の通信信号を抽出する第２抽出部１１２とが設けられている。また、整形部１２には、第１抽出部１１１で抽出された第２の通信信号の波形整形を行う第１整形部１２１と、第２抽出部１１２で抽出された第２の通信信号の波形整形を行う第２整形部１２２とが設けられている。さらに、重畳部１３には、第１整形部１２１が出力する第２の通信信号を第２の伝送路２２に送出する第１重畳部１３１と、第２整形部１２２が出力する第２の通信信号を第１の伝送路２１に送出する第２重畳部１３２とが設けられている。
【００５５】
監視部１４に関しても、第１重畳部１３１による中継先となる第２の伝送路２２上の伝送信号を監視する第１監視部１４１と、第２重畳部１３２による中継先となる第１の伝送路２１上の伝送信号を監視する第２監視部１４２とに分割されている。これにより、信号中継部１０は、第２の通信信号に関して第１の伝送路２１から第２の伝送路２２への中継と、第２の伝送路２２から第１の伝送路２１への中継との双方向の中継が可能となる。
【００５６】
ところで、第１プロトコルの伝送信号には第１の中継器７を通過する際に、第２の通信信号には信号中継部１０を通過する際にそれぞれ遅延時間が発生するが、伝送信号と第２の通信信号とでは、たとえば周波数の差に起因して遅延時間にずれが生じることがある。そのため、仮に重畳部１３が第２の通信信号を整形部１２から受け取ってすぐに中継先の伝送路２に送出すると、中継先においては第１プロトコルの伝送信号と第２の通信信号との間で時間軸方向にずれが生じ、同期がとれずに通信エラーを生じる可能性がある。
【００５７】
そこで、本実施形態では、第１プロトコルの伝送信号が上述したように周期的に繰り返され、且つ１周期ごとに第２の通信信号を重畳するのに適した通信適合期間が複数回ずつ設定されている点に着眼し、第２の通信信号の送出タイミングを以下のように決定する。
【００５８】
すなわち、重畳部１３は、中継元の伝送信号のうち抽出部１１が第２の通信信号を抽出した通信適合期間と同一のタイミングになる通信適合期間を、監視部１４にて監視されている中継先の伝送信号の中から選択する。重畳部１３は、選択した通信適合期間内に前記第２の通信信号を送出するように第２の通信信号の送出タイミングを決定する。
【００５９】
一例として、中継元の伝送路２において伝送信号の予備割込期間３１と予備期間３２と休止期間３７とに分かれて第２の通信信号が重畳されている場合について説明する。この場合、重畳部１３は、第２の通信信号が中継先の伝送路２においても、中継元と同様に伝送信号の予備割込期間３１と予備期間３２と休止期間３７とに分かれて重畳されるように第２の通信信号の送出タイミングを決定する。なお、中継元の伝送信号のうち抽出部１１が第２の通信信号を抽出した通信適合期間は、たとえば、中継元の伝送信号を監視している監視部１４において検出することができる。
【００６０】
ところで、本実施形態の中継装置１は、図１（ｂ）に示すように信号中継部１０の他、記憶部１５と、信号中継部１０における第２の通信信号の中継機能の有効・無効を切り替える中継制御部１６とを備えている。
【００６１】
記憶部１５には、第２通信端末５の各々について信号中継部１０から見て第１の伝送路２１と第２の伝送路２２とのどちら側に接続されているかを表す端末情報が、予め記憶されている。記憶部１５に記憶される端末情報は、通信システムの構築時や通信システムの起動時などに、通信システムの施工業者あるいはユーザが専用の設定用端末等を用いて設定する。
【００６２】
中継制御部１６は、信号中継部１０に中継元から入力された第２の通信信号の送信先と記憶部１５に記憶された端末情報とに基づいて、第２の通信信号の中継の要否を判断し、中継の要否の判断結果に応じて信号中継部１０の中継機能の有効・無効を切り替える。
【００６３】
具体的に説明すると、記憶部１５には、複数台の第２通信端末５のアドレスが、信号中継部１０から見て第１の伝送路２１側になる第１グループと、信号中継部１０から見て第２の伝送路２２側になる第２グループとに分類されて端末情報として記憶されている。つまり、記憶部１５に記憶されている端末情報においては、第１の伝送路２１に接続された第２通信端末５１，５２のアドレスは第１グループに分類され、第２の伝送路２２に接続された第２通信端末５３，５４のアドレスは第２グループに分類されている。
【００６４】
ただし、第２通信端末５が各々に接続された被監視機器８あるいは監視装置９からのデータを変換し伝送路２上に送出するアダプタとして機能する場合、第２通信端末５は固有のアドレスを持たないこともある。このような場合、第２通信端末５間の通信には、第２通信端末５に接続されている監視装置９あるいは被監視機器８のアドレスが用いられるので、記憶部１５には、第２通信端末５のアドレスに代えて監視装置９や被監視機器８のアドレスが記憶されていてもよい。
【００６５】
中継制御部１６は、信号中継部１０に接続されており、中継元の伝送路２から信号中継部１０に入力された第２の通信信号より、当該第２の通信信号の送信先の第２通信端末５のアドレスを抽出する。中継制御部１６は、記憶部１５の端末情報を参照し、第２の通信信号の送信先の第２通信端末５が第１の伝送路２１と第２の伝送路２２とのどちらに接続されているかを判断する。つまり、中継制御部１６は、抽出した送信先の第２通信端末５のアドレスが第１グループと第２グループとのどちらに分類されているかを判断する。
【００６６】
このとき、中継制御部１６は、信号中継部１０に対し第１の伝送路２１と第２の伝送路２２とのどちらから第２の通信信号が入力されたかを監視することによって、第２の通信信号の中継元と中継先とを特定する。たとえば、第２の通信信号が第１の伝送路２１から信号中継部１０に入力されている場合、中継制御部１６により、第１の伝送路２１が第２の通信信号の中継元、第２の伝送路２２が中継先と特定される。
【００６７】
ここにおいて、中継先の伝送路２でも第２の通信信号が使用されるのであれば、第２の通信信号の中継は必要であるが、中継先の伝送路２で第２の通信信号が使用されないのであれば、第２の通信信号の中継は不要である。そこで、中継制御部１６は、中継先となる伝送路２側に接続された第２通信端末５が、第２の通信信号の送信先に含まれていれば、第２の通信信号の中継が必要であると判断し、信号中継部１０の中継機能を有効にする。一方、中継先となる伝送路２側に接続された第２通信端末５が、第２の通信信号の送信先に含まれていなければ、中継制御部１６は、第２の通信信号の中継が不要と判断し、信号中継部１０の中継機能を無効にする。
【００６８】
すなわち、中継制御部１６は、中継先が第２の伝送路２２である場合に、記憶部１５において第２グループに分類されているアドレスが１つでも第２の通信信号の送信先に含まれていると、信号中継部１０の中継機能を有効にする。一方、中継制御部１６は、中継先が第２の伝送路２２である場合に、記憶部１５において第２グループに分類されているアドレスが１つも第２の通信信号の送信先に含まれていなければ、信号中継部１０の中継機能を無効にする。
【００６９】
具体例を挙げると、第１の伝送路２１に接続された第２通信端末５１と、同じく第１の伝送路２１に接続された第２通信端末５２とが互いに通信する場合、中継機能は無効になる。同様に、第２の伝送路２２に接続された第２通信端末５３と、同じく第２の伝送路２２に接続された第２通信端末５４とが互いに通信する場合にも、中継機能は無効になる。一方、第２通信端末５１と第２通信端末５４とが互いに通信する場合や、第２通信端末５３と第２通信端末５２とが互いに通信を行う場合には、中継機能は有効になる。
【００７０】
ここで、本実施形態では、親機としての第２通信端末５は、ポーリング対象（第２の通信信号の送信先）を順次変化させながら子機としての複数台の第２通信端末と通信を行う。そのため、中継制御部１６は、中継先の伝送路２に接続された第２通信端末５にポーリング対象が含まれているか否かによって信号中継部１０の中継機能の有効・無効を切り替えることになる。つまり、中継制御部１６は、親機とポーリング対象とが異なる伝送路２に接続されていれば信号中継部１０の中継機能を有効にし、親機とポーリング対象とが同一の伝送路２に接続されていれば信号中継部１０の中継機能を無効にする。
【００７１】
以上説明した構成の中継装置１によれば、中継制御部１６が信号中継部１０の中継機能の有効・無効を切り替えるので、中継先の伝送路２では使用されない不要な第２の通信信号についてまで中継されることがない。したがって、上記構成の中継装置１を用いた通信システムでは、第２の通信信号を全て中継する中継装置を用いる場合に比べて、伝送路２上の通信トラフィックを低減でき、通信の遅延やパケットロスを防止した効率のよい重畳通信が可能になる。
【００７２】
また、本実施形態では、親機としての第２通信端末５がポーリング方式で子機としての複数台の第２通信端末５に順次アクセスするので、各第２通信端末５がそれぞれ勝手なタイミングで通信をする場合に比べて、通信トラフィックを低減することができる。すなわち、親機としての第２通信端末５は、ポーリング対象（第２の通信信号の送信先）を順次変化させながら通信を行うので、子機としての複数台の第２通信端末５が一斉に通信を行うことはなく、伝送路２上の通信トラフィックを低減できる。
【００７３】
また、図１（ａ）の例では、第１の伝送路２１と第２の伝送路２２とが第１の中継器７、中継装置１を介して接続されている通信システムを例示したが、複数台の第１の中継器７、中継装置１を用いればさらに通信システムの規模を拡大することも可能である。つまり、複数台の第１の中継器７、中継装置１を用いれば伝送路２が３区画以上に拡張された通信システム、たとえば図４に示すように第１の伝送路２１と第２の伝送路２２と第３の伝送路２３とが接続された通信システムも実現可能である。図４の例では、第１の伝送路２１と第２の伝送路２２とが第１の中継器７１、中継装置１０１を介して接続され、さらに、第２の伝送路２２と第３の伝送路２３とが第１の中継器７２、中継装置１０２を介して接続されている。
【００７４】
図４の通信システムでは、第１の伝送路２１と第２の伝送路２２との間に接続された中継装置１０１が、第１の伝送路２１と第２の伝送路２２との間で第２の通信信号を中継する。この中継装置１０１の記憶部１５では、第１の伝送路２１に接続されている第２通信端末５１，５２が第１グループに分類され、第２、第３の伝送路２２，２３に接続された第２通信端末５３，５４，５５，５６が第２グループに分類されている。
【００７５】
一方、第２の伝送路２２と第３の伝送路２３との間に接続された中継装置１０２は、第２の伝送路２２と第３の伝送路２３との間で第２の通信信号を中継する。この中継装置１０２の記憶部１５では、第１、第２の伝送路２１，２２に接続されている第２通信端末５１，５２，５３，５４が第１グループに分類され、第３の伝送路２３に接続された第２通信端末５５，５６が第２グループに分類されている。
【００７６】
そのため、たとえば第１の伝送路２１に接続された第２通信端末５１と、第２の伝送路２２に接続された第２通信端末５４とが互いに通信する場合、中継装置１０１の中継機能は有効となり、中継装置１０２の中継機能は無効となる。第１の伝送路２１に接続された第２通信端末５１と、第３の伝送路２３に接続された第２通信端末５６とが互いに通信する場合には、両中継装置１０１，１０２の中継機能が有効になる。
【００７７】
なお、本実施形態では親機としての第２通信端末５がポーリング方式で子機として第２通信端末５と通信する通信システムを例示したが、この例に限らず、中継装置１は、たとえばイベントドリブン方式の通信システムに用いられてもよい。
【００７８】
（実施形態２）
本実施形態の中継装置１は、伝送路２に接続された第２通信端末５の端末情報を当該第２通信端末５から伝送路２を介して通信により収集する情報収集部１７（図５参照）を備える点が実施形態１の中継装置１と相違する。
【００７９】
情報収集部１７は図５に示すように記憶部１５に接続されており、情報収集部１７が第２通信端末５から収集した端末情報は記憶部１５に記憶される。すなわち、記憶部１５に記憶される端末情報は、実施形態１では施工業者あるいはユーザが専用の設定用端末等を用いて設定していたのに対し、本実施形態では情報収集部１７で収集された情報が自動的に設定されることになる。
【００８０】
情報収集部１７は、信号中継部１０の起動時に、伝送路２に接続されている第２通信端末５から端末情報を自動的に収集する。要するに、中継装置１の電源投入時、あるいは中継装置１が伝送路２に接続されたときに、情報収集部１７により端末情報の収集が行われる。端末情報の収集には、第２通信端末５間の通信と同じく、第１の通信信号に重畳される第２の通信信号が用いられる。つまり、情報収集部１７は、第１の通信信号に重畳される第２の通信信号を用いて第２通信端末５に端末情報を要求し、第２の通信信号を用いて第２通信端末５から送信された端末情報を収集する。
【００８１】
次に、情報収集部１７が端末情報を収集する際の具体的な処理について説明する。
【００８２】
信号中継部１０が起動すると、情報収集部１７は、まず第１の伝送路２１に対して端末情報を要求する第２の通信信号を送出する。情報収集部１７から端末情報の要求を受けた第２通信端末５は、少なくとも自己のアドレスを含む端末情報を第２の通信信号により情報収集部１７に返信する。情報収集部１７は、第１の伝送路２１側の第２通信端末５からの返信を受けると、当該第２通信端末５のアドレスを第１グループに分類し、端末情報として記憶部１５に記憶する。
【００８３】
その後、情報収集部１７は、第２の伝送路２２に対して端末情報を要求する第２の通信信号を送出し、第２の伝送路２２側の第２通信端末５から返信を受けると、当該第２通信端末５のアドレスを第２グループに分類し、端末情報として記憶部１５に記憶する。これにより、信号中継部１０から見て第１の伝送路２１側に接続されている第２通信端末５のアドレスは第１グループ、第２の伝送路２２側に接続されている第２通信端末５のアドレスは第２グループに分類され、端末情報として記憶部１５に記憶される。
【００８４】
ここにおいて、各伝送路２に第２通信端末５がそれぞれ複数台ずつ接続されている場合には、情報収集部１７は、各伝送路２に接続された第２通信端末５に対してアドレス順（優先度順）に順次ポーリングを行い、当該ポーリングの応答として端末情報を取得する。すなわち、情報収集部１７は、端末情報を要求する第２の通信信号の送信先となるアドレスを、サイクリックに変化させながらポーリング方式で各第２通信端末５に順次アクセスする。
【００８５】
さらに、本実施形態では、信号中継部１０の起動後の一定期間（以下、「設定期間」という）は、第２の通信信号を用いた通信は全て情報収集部１７が端末情報を収集するために使用され、第２通信端末５同士の通信には第２の通信信号が使用されない。したがって、信号中継部１０の起動時における設定期間においては、図６（ａ）に示すように伝送信号における通信適合期間（予備割込期間３１と予備期間３２と休止期間３７）は、全て情報収集部１７による端末情報の収集（図中「１７０」）に割り当てられる。その結果、信号中継部１０の起動から、情報収集部１７が端末情報を全て収集するのに要する時間を比較的短くできる。
【００８６】
また、設定期間の経過後であっても、第２通信端末５の交換や増設などにより、情報収集部１７にて端末情報を再度収集する必要が生じる場合がある。そこで、情報収集部１７は、設定期間の経過後であっても、中継装置１に設けられている設定スイッチ（図示せず）が操作されることにより、上述したような端末情報を収集するための処理を再度実行するように構成されている。情報収集部１７は、このように設定期間の経過後に端末情報を収集した場合、記憶部１５に記憶されている端末情報を新たに収集した端末情報に変更する。
【００８７】
ただし、設定期間の経過後に情報収集部１７が端末情報を収集する場合には、既に第２通信端末５同士が第２の通信信号を用いて通信している状態にある。そこで、設定期間の経過後においては、情報収集部１７は、図６（ｂ）に示すように伝送信号における通信適合期間の一部（ここでは予備期間３２）のみを使用して端末情報を取得する（図中「１７０」）。これにより、伝送信号の通信適合期間のうち、情報収集部１７による端末情報の収集に割り当てられた期間（予備期間３２）以外の期間（予備割込期間３１と休止期間３７）については、第２通信端末５同士の通信（図中「１７１」）に用いることができる。
【００８８】
したがって、情報収集部１７は、設定期間の経過後に端末情報を収集する際には、伝送信号の通信適合期間を占有することなく第２通信端末５と通信を行うので、第２通信端末５間の通信を継続しつつ、端末情報の収集を行うことができる。
【００８９】
以上説明した本実施形態の中継装置１によれば、情報収集部１７が端末情報を自動的に収集して記憶部１５に設定するので、施工業者あるいはユーザが専用の設定用端末等を用いて設定する手間が省け、通信システムの構築作業が容易になるという利点がある。しかも、信号中継部１０の起動時における設定期間においては、伝送信号の通信適合期間が全て端末情報の収集に割り当てられるので、情報収集部１７は、端末情報の収集を極力早期に完了させることができる。また、設定期間の経過後には、伝送信号の通信適合期間の一部のみが端末情報の収集に割り当てられるので、情報収集部１７は、第２通信端末５同士の通信を止めることなく、端末情報の収集を行うことができる。
【００９０】
また、図４に示したような伝送路２が３区画以上に拡張された通信システムにおいては、各中継装置１０１，１０２の情報収集部１７は、それぞれ伝送路を介して接続された他の中継装置１０１，１０２の情報収集部１７が収集した端末情報を取得する。
【００９１】
すなわち、各中継装置１０１，１０２は、まず、伝送路２を介して直接接続されている第２通信端末５から端末情報を収集する。これにより、中継装置１０１においては、第１の伝送路２１に接続された第２通信端末５１，５２が第１グループに分類され、第２の伝送路２２に接続された第２通信端末５３，５４が第２グループに分類される。一方、中継装置１０２においては、第２の伝送路２２に接続された第２通信端末５３，５４が第１グループに分類され、第３の伝送路２３に接続された第２通信端末５５，５６が第２グループに分類される。
【００９２】
その後、各中継装置１０１，１０２は、それぞれ他の中継装置１０１，１０２から各々が収集した端末情報を取得する。つまり、中継装置１０１は、第２の伝送路２２を介して接続されている中継装置１０２から、第３の伝送路２３に接続された第２通信端末５５，５６のアドレスを取得し、これらのアドレスを第２グループに分類する。中継装置１０２は、第２の伝送路２２を介して接続されている中継装置１０１から、第１の伝送路２１に接続された第２通信端末５１，５２のアドレスを取得し、これらのアドレスを第１グループに分類する。
【００９３】
その結果、中継装置１０１の記憶部１５では、第１の伝送路２１に接続されている第２通信端末５１，５２が第１グループに分類され、第２、第３の伝送路２２，２３に接続された第２通信端末５３，５４，５５，５６が第２グループに分類される。一方、中継装置１０２の記憶部１５では、第１、第２の伝送路２１，２２に接続されている第２通信端末５１，５２，５３，５４が第１グループに分類され、第３の伝送路２３に接続された第２通信端末５５，５６が第２グループに分類される。
【００９４】
このように、中継装置１が自己の配下にある第２通信端末５の端末情報をまとめて他の中継装置１に送ることにより、各中継装置１の情報収集部１７は、他の中継装置１を介して接続された第２通信端末５の端末情報についても収集することができる。要するに、通信システムが複数台の中継装置１を用いて階層的に構築されていても、各中継装置１の情報収集部１７は通信システム全体の第２通信端末５の端末情報を取得できる。
【００９５】
ところで、本実施形態では、信号中継部１０の起動時における設定期間に、端末情報の収集に通信適合期間である予備割込期間３１と予備期間３２と休止期間３７とを割り当てているが、以下の構成を採用すればさらに早く端末情報の収集を完了することができる。
【００９６】
伝送信号には、送信先の第１通信端末４からの返信を受け付けるための返送期間３４が接続されているが、この返送期間３４は、通常、第２の通信信号が重畳される通信適合期間から外されている。そこで、情報収集部１７は、信号中継部１０の起動時における設定期間には、図７に示すように伝送信号の割込期間３５に割込信号を送信（図中「１７２」）し、この返送期間３４を通信適合期間として使用可能とする。これにより、端末情報の収集に使用できる通信適合期間の伝送信号に占める割合が大きくなる。
【００９７】
すなわち、返送期間３４は、第１通信端末４から電流モードの信号を受けるために伝送信号がハイレベルに安定しているものの、第１通信端末４から伝送ユニット３に向けて返送データが伝送される可能性があるため、通常時には、通信不適合期間となる。ただし、信号中継部１０の起動時における設定期間には、伝送ユニット３は、情報収集部１７からの割込信号を受けることにより、中継装置１（情報収集部１７）にアクセスして割込ポーリングを行う。そのため、このときの伝送信号の返送期間３４は中継装置１に専有され、中継装置１が伝送ユニット３に返信を行わない限り、返送期間３４に返送データの伝送が行われることはない。情報収集部１７は、全ての第２通信端末５から端末情報を取得すると、割込信号を解除し、伝送信号のモードデータを割込ポーリングモードから通常モードに戻す。
【００９８】
したがって、設定期間においては、情報収集部１７は、図７に示すように予備割込期間３１と予備期間３２と休止期間３７とに加えて、返送期間３４をも通信適合期間として使用し、これらの通信適合期間に第２通信端末５から端末情報を収集（図中「１７０」）する。返送期間３４は、他の通信適合期間（予備割込期間３１、予備期間３２、休止期間３７）に比べて時間が長く、第２の通信信号にて伝送できるデータ量も多いため、結果的に、情報収集部１７は端末情報の収集を極力早期に完了させることができる。
【００９９】
この構成を採用した場合でも、設定期間の経過後においては、情報収集部１７は、図６（ｂ）のように伝送信号における通信適合期間の一部（ここでは予備期間３２）のみを使用して端末情報を取得する。要するに、情報収集部１７が返送期間３４を通信適合期間として使用するのは設定期間の間だけであるので、設定期間の経過後に行われる第２通信端末５同士の通信に影響を与えることはない。
【０１００】
次に、図４に示したような伝送路２が３区画以上に拡張された通信システムにおいて、設定期間に割込信号の送信を行う情報収集部１７を採用した中継装置１０１，１０２が用いられた場合の動作について、図８のフローチャートを参照して説明する。
【０１０１】
まず、中継装置１０１，１０２が起動すると、各中継装置１０１，１０２はそれぞれ、割込信号を送信することにより擬似割込みをかけ（Ｓ１，Ｓ２）、伝送路２を介して直接接続された第２通信端末５から端末情報を収集する（Ｓ３，Ｓ４）。その後、各中継装置１０１，１０２は、他方の中継装置１０１，１０２から端末情報を取得し（Ｓ５）、端末情報の収集を完了する（Ｓ６）。端末情報の収集が完了すると、中継装置１０１，１０２は割込信号を解除し、通常動作に移行する（Ｓ７）。
【０１０２】
その後、伝送路２上に第２通信端末５が追加されると（Ｓ８：Ｙｅｓ）、中継装置１０１，１０２は当該第２通信端末５に端末情報を要求し（Ｓ９）、端末情報を取得する（Ｓ１０）。これにより、記憶部１５に記憶されている端末情報が更新され、通信システムの最新のシステム構成に適合した端末情報となる。端末情報の更新が完了すると、中継装置１０１，１０２は通常動作（Ｓ７）に戻る。
【０１０３】
その他の構成および機能は実施形態１と同様である。
【符号の説明】
【０１０４】
１，１０１，１０２  中継装置
２  伝送路
３  伝送ユニット
４  第１通信端末
５，５１〜５６  第２通信端末
７，７１，７２  第１の中継器
１０  信号中継部
１５  記憶部
１６  中継制御部
１７  情報収集部
２１  第１の伝送路
２２  第２の伝送路
３４  返送期間
【図１】
2012094962.tif 000003
【図２】
2012094962.tif 000004
【図３】
2012094962.tif 000005
【図４】
2012094962.tif 000006
【図５】
2012094962.tif 000007
【図６】
2012094962.tif 000008
【図７】
2012094962.tif 000009
【図８】
2012094962.tif 000010